(57)【特許請求の範囲】
【請求項１】
第１の通信インタフェース（１４ａ）及び第２の通信インタフェース（１４ｂ）を有する通信モジュール（１４）を備える主端末（Ｔ１）を有するアセンブリーであって、
前記第１の通信インタフェース（１４ａ）は、前記主端末を通信ネットワーク（１００）に接続することができる少なくとも第１の通信プロトコル（Ｐ１）を用い、これによっ
て、少なくとも１つの機能（ＦＣＴｉ）を使用し、
前記主端末は、少なくとも１つの構成構築プログラム（ＰＣＯＮＦ）を用いるように構成されており、
前記構成構築プログラム（ＰＣＯＮＦ）は、少なくとも１つの所望の機能（ＦＣＴｉ）を選択することを可能にし、選択された所望の機能を表すコード（ＣＯＤＥｉ）を生成することを可能にし、
前記第２の通信インタフェース（１４ｂ）は、第２の通信プロトコル（Ｐ２）を用い、
当該アセンブリーは、さらに、前記主端末と通信範囲内にて通信するために前記第２の通信プロトコル（Ｐ２）を用いる受動性の通信モジュール（２０）を備える少なくとも１
つの第２の端末（Ｔ２）を有し、これによって、前記選択された所望の機能を表すコード（ＣＯＤＥｉ）を保存し、
前記第２の端末は、前記受動性の通信モジュール（２０）が、前記主端末（Ｔ１）又は同様に前記第２の通信プロトコル（Ｐ２）を用いる別の通信モジュール（３０）を備える
別の端末（Ｔ３）からの外部パワー源によってウェイクアップされアクティブにされるように構成されており、また、このアクティブ化に応答して、前記主端末（Ｔ１）又は前記
別の端末（Ｔ３）に前記所望の機能に関連付けられたコマンドを送り、これによって、前記第２の端末（Ｔ２）が前記主端末（Ｔ１）又は前記別の端末（Ｔ３）の通信範囲内にあるときに、前記所望の機能を実行する
ことを特徴とするアセンブリー。
【請求項２】
前記第２の端末（Ｔ２）が通信するように構成されている前記別の端末は、能動的に第２の通信プロトコル（Ｐ２）を用いる通信回路（３０）を備える第３の端末（Ｔ３）であ
る
ことを特徴とする請求項１に記載のアセンブリー。
【請求項３】
前記第２の端末（Ｔ２）は、前記第２の通信プロトコル（Ｐ２）を用いる能動的な通信回路を備える中間端末を用いて少なくとも１つの別の第２の端末（Ｔ２）と通信するよう
に構成されている
ことを特徴とする請求項１に記載のアセンブリー。
【請求項４】
前記第２の端末（Ｔ２）は、少なくとも１つの別の第２の端末（Ｔ２）と通信するように構成されており、
前記第２の端末（Ｔ２）はそれぞれ、前記受動性の通信モジュール（２０）のための付加的な供給回路を備える
ことを特徴とする請求項１に記載のアセンブリー。
【請求項５】
前記所望の機能（ＦＣＴｉ）は、情報表示機能である
ことを特徴とすることを特徴とする請求項１〜４のいずれかに記載のアセンブリー。
【請求項６】
前記所望の機能（ＦＣＴｉ）は、アプリケーション又はアクションの発動機能である
ことを特徴とする請求項１〜５のいずれかに記載のアセンブリー。
【請求項７】
前記第１の通信プロトコル（Ｐ１）は、Bluetooth、ＧＳＭ、ＥＤＧＥ、ＵＭＴＳ、ＣＤＭＡ、ＬＴＥ、ＨＳＰＡ、ｘＤＳＬ及びＷｉＦｉのプロトコルからなる群から選択され
るプロトコルである
ことを特徴とする請求項１〜６のいずれかに記載のアセンブリー。
【請求項８】
前記第２の通信プロトコル（Ｐ２）は、受動性の通信モジュールにおいて用いることができる通信プロトコルである
ことを特徴とする請求項１〜７のいずれかに記載のアセンブリー。
【請求項９】
前記第２の通信プロトコル（Ｐ２）は、ＮＦＣプロトコルである
ことを特徴とする請求項８に記載のアセンブリー。
【請求項１０】
前記主端末（Ｔ１）は、表示デバイス（１２）及び制御デバイス（１３）を有し、移動体電話機、コンピューター、タブレット、及び前記構成構築プログラム（ＰＣＯＮＦ）を
用いることができる任意のデバイスからなる群から選択される端末である
ことを特徴とする請求項１〜９のいずれかに記載のアセンブリー。
【請求項１１】
前記第２の端末（Ｔ２）は、腕時計、リストバンド、宝飾品、クリップオンピン、及び他のタイプのリストバンドからなる群から選択される端末である
ことを特徴とする請求項１〜１０のいずれかに記載のアセンブリー。
【請求項１２】
前記第２の端末（Ｔ２）は、表示デバイス（２７）及び制御デバイス（２６）を有する
ことを特徴とする請求項１１に記載のアセンブリー。
【請求項１３】
前記所望の機能（ＦＣＴｉ）を実行する端末は、前記第２の通信プロトコル（Ｐ２）を用いる通信回路を備える任意のデバイス（４０）であることができ、
前記通信回路は、前記デバイスの内部回路又はワイヤー接続（４２）を介して前記デバイスに接続される外部回路（４１）である
ことを特徴とする請求項１に記載のアセンブリー。
【請求項１４】
第１の通信インタフェース（１４ａ）及び第２の通信インタフェース（１４ｂ）を有する通信モジュール（１４）を備える主端末（Ｔ１）を有するアセンブリー（１）の所望の
機能を管理する方法であって、
前記第１の通信インタフェース（１４ａ）は、前記主端末を通信ネットワーク（１００）に接続することができる第１の通信プロトコル（Ｐ１）を少なくとも用い、これによっ
て、少なくとも１つの機能を使用し、
前記主端末は、少なくとも１つの構成構築プログラム（ＰＣＯＮＦ）を用いるように構成されており、
前記第２の通信インタフェース（１４ｂ）は、第２の通信プロトコル（Ｐ２）を用い、
前記アセンブリーは、さらに、前記第２の通信プロトコルを用いる受動性の通信モジュール（２０）を備える少なくとも１つの第２の端末（Ｔ２）を有し、
当該方法は、
前記主端末（Ｔ１）を用いて前記構成構築プログラム（ＰＣＯＮＦ）を介して前記通信ネットワーク（１００）に接続するステップと、
前記構成構築プログラム（ＰＣＯＮＦ）を介して少なくとも１つの所望の機能を選択するステップと、
選択された所望の機能を表すコード（ＣＯＤＥｉ）を生成するステップと、
前記第２の通信プロトコル（Ｐ２）とともに前記主端末（Ｔ１）の前記通信モジュール（１４）を用いることによって、選択された所望の機能（ＣＯＤＥｉ）を表す前記コード
を前記第２の端末（Ｔ２）の前記受動性の通信モジュール（２０）のメモリー領域（２２）に転送するステップと、及び
前記第２の端末（Ｔ２）の前記受動性の通信モジュール（２０）が前記主端末（Ｔ１）又は別の通信モジュール（３０）を備える別の端末（Ｔ３）からの外部パワー源によって
ウェイクアップされアクティブにされた後に、前記第２の端末（Ｔ２）が前記主端末（Ｔ１）又は前記別の端末（Ｔ３）の前記第２のプロトコル（Ｐ２）を用いる通信範囲内にあ
るときに前記所望の機能を実行するように、前記主端末（Ｔ１）又は前記別の端末（Ｔ３）に前記所望の機能に関連付けられたコマンドを送るステップと
を有することを特徴とする方法。
【発明の詳細な説明】
【技術分野】
【０００１】
本発明は、通信モジュールを備える主端末を有するアセンブリーに関する。この通信モジュールは、少なくとも１つの機能の使用を可能にする通信ネットワークに主端末を接続することができる第１及び第２の通信プロトコルを少なくとも用いる。主端末は、第２の端末の構成構築のために少なくとも１つのプログラムを用いるように構成している。
【背景技術】
【０００２】
いくつかの機能の動作を可能にする携行可能なコネクテッドデバイスが知られている。用いられている１つのタイプの携行可能なデバイスは、典型的には、通信モジュールを備える移動体電話機であり、これは、移動体通信（３Ｇ、４Ｇ、ＬＴＥ．．．）に加えて、ＷｉＦｉプロトコル、Bluetooth（登録商標）プロトコル、ＮＦＣプロトコルのようないくつかの通信プロトコルを使用することができる。このような移動体電話機を、非接触式の支払い、電子的チケット、非接触式のアクセスのようないわゆるコネクテッド機能を実行するために用いることができる。
【０００３】
しかし、このタイプの動作の短所として、移動体電話機がアクティブである必要があることがある。実際に、移動体電話機は、一般的には、電池で動作する。このため、電池が放電していると、いわゆるコネクテッド機能を使用することができなくなる。
【０００４】
別のタイプのコネクテッドデバイスとして、非接触式の支払いに用いられる腕時計がある。このようなデバイスは、腕時計に支払い機能専用の電子的な集積回路（チップ）を搭載している。この支払いチップは、金融機関によって提供されることがあるものであり、支持体上に配置され、この支持体は、当該製品の特定の溝に挿入されたり、ブランクのチップを当該製品に直接挿入した後に金融機関によってプログラムされたりする。
【０００５】
したがって、溝に挿入される支払いチップを用いると、密封性がなくなりうるという短所があり、他方で、金融機関によってプログラムされるチップを用いると、輸送が相当多く必要となる。なぜなら、腕時計を金融機関に送られなければならず、これによって、購入者が使用することができるようになるまでに遅れが発生してしまう。
【発明の概要】
【発明が解決しようとする課題】
【０００６】
したがって、本発明は、常に利用可能でありつつ単純にプログラムすることができる携行可能なコネクテッドデバイスを提供することを目的とする。
【課題を解決するための手段】
【０００７】
このために、本発明は、通信モジュールを備える主端末を有するアセンブリーに関する。前記通信モジュールは、少なくとも１つの機能を使用することを可能にする通信ネットワークに前記主端末を接続することができる第１の通信プロトコルと、及び第２の通信プロトコルとを少なくとも用い、前記主端末は、少なくとも１つの構成構築プログラムを用いるように構成しており、前記構成構築プログラムは、少なくとも１つの所望の機能を選択することを可能にし、選択された所望の機能を表すコードを生成することを可能にし、当該アセンブリーは、さらに、前記主端末と通信するために前記第２の通信プロトコルを用いる受動性の通信モジュールを備える少なくとも１つの第２の端末を有し、これによって、前記選択された所望の機能を表すコードを保存し、前記第２の端末は、前記受動性の通信モジュールが、同様に前記第２の通信プロトコルを用いる別の端末からの外部パワー源によってウェイクアップされアクティブにされるように構成しており、また、このアクティブ化に応答して前記主端末とは独立に前記別の端末にコマンドを送り、これによって、前記第２の端末が前記別の端末の通信範囲内にあるときに、所望の機能を実行する。
【０００８】
第１の好ましい実施形態において、前記第２の端末が通信する前記端末は、前記主端末である。
【０００９】
第２の好ましい実施形態において、前記第２の端末が通信する前記端末は、能動的に第２の通信プロトコルを用いる通信回路を備える第３の端末である。
【００１０】
第３の好ましい実施形態において、前記第２の端末が通信する前記端末は、前記第２の通信プロトコルを用いる能動的な通信回路を備える補助的な端末であり、媒介体として用いる。
【００１１】
第４の好ましい実施形態において、前記第２の端末は、別の第２の端末と通信し、前記第２の端末はそれぞれ、前記受動性の通信モジュールのための付加的な供給回路を備える。
【００１２】
第５の好ましい実施形態において、前記所望の機能は、情報表示機能である。
【００１３】
第６の好ましい実施形態において、前記所望の機能は、アプリケーションの発動機能である。
【００１４】
第７の好ましい実施形態において、前記所望の機能は、アクションの発動機能（アクセス、ドア開けなど）である。
【００１５】
別の好ましい実施形態において、前記第１の通信プロトコルは、Bluetooth、ＧＳＭ（登録商標）、ＥＤＧＥ、ＵＭＴＳ、ＣＤＭＡ、ＬＴＥ、ＨＳＰＡ、ｘＤＳＬ及びＷｉＦｉのプロトコルを含むリストから選択されるプロトコルなどである。
【００１６】
別の好ましい実施形態において、前記第２の通信プロトコルは、受動性の通信モジュールにおいて用いることができるプロトコルである。
【００１７】
別の好ましい実施形態において、前記第２のプロトコルは、ＮＦＣプロトコルである。
【００１８】
別の好ましい実施形態において、前記主端末は、表示デバイス及び制御デバイスを有し、移動体電話機ないしスマートフォン、コンピューターないしラップトップ型コンピューター、タブレット、及び前記構成構築プログラムを用いることができる任意のデバイスからなる群から選択される端末である。
【００１９】
別の好ましい実施形態において、前記第２の端末は、腕時計、リストバンド、宝飾品、クリップオンピン、及び他のタイプのリストバンドからなる群から選択される端末である。
【００２０】
別の好ましい実施形態において、前記第２の端末は、表示デバイス及び制御デバイスを有する。
【００２１】
別の好ましい実施形態において、前記所望の機能を実行する端末は、前記第２のプロトコルを用いる通信回路を備える任意のデバイスであることができ、前記通信回路は、前記デバイスの内部回路又はワイヤー接続を介して前記デバイスに接続される外部回路である。
【００２２】
別の好ましい実施形態において、前記第２の端末と前記主端末は、単一の端末を形成するように同じタイプのものであり、前記単一の端末は、少なくとも前記第１のプロトコルを用いる通信モジュールと、及び前記第２のプロトコルを用いる受動性の通信回路とを有する。
【００２３】
本発明は、さらに、通信モジュールを備える主端末を有するアセンブリーの所望の機能を管理する方法に関する。前記第１の通信インタフェースは、少なくとも１つの機能を使用するために前記主端末を通信ネットワークに接続することができる第１の通信プロトコルと第２の通信プロトコルを少なくとも用い、前記主端末は、少なくとも１つの構成構築プログラムを用いるように構成しており、前記アセンブリーは、さらに、前記第２の通信プロトコルを用いる受動性の通信モジュールを備える少なくとも１つの第２の端末を有し、
当該方法は、
−  前記主端末を用いて前記構成構築プログラムを介して前記通信ネットワークに接続するステップと、
−  前記構成構築プログラムを介して少なくとも１つの所望の機能を選択するステップと、
−  選択された所望の機能を表すコードを生成するステップと、及び
−  前記第２のプロトコルとともに前記主端末の能動性の通信回路を用いることによって、選択された所望の機能を表す前記コードを前記第２の端末の前記通信モジュールのメモリー領域に転送するステップと
を有する。
【００２４】
好ましい実施形態において、当該方法は、さらに、前記選択された所望の機能を表すコードを前記第２の端末の前記通信回路のメモリー領域に転送した後に、前記第２のプロトコルを用いる能動性の通信回路を備える端末が前記第２の端末に近づいたときに、前記所望の機能に関連づけられたコマンドを送り、このコマンドを受信した端末がその機能を実行することができるようにすることを伴うステップを有する。
【００２５】
添付の図面を参照しながら下記の詳細な説明を読むことで、本発明の他の特徴及び利点が明らかになるであろう。
【図面の簡単な説明】
【００２６】
【図１】本発明に係るアセンブリーの第１の実施形態の概略図を示している。
【図２】本発明に係るアセンブリーの第１の実施形態の概略図を示している。
【図３】本発明に係るアセンブリーの第１の実施形態の特定の場合を示している。
【図４】本発明に係るアセンブリーの第２の実施形態の概略図を示している。
【図５】本発明に係るアセンブリーの第２の実施形態の概略図を示している。
【図６】第２の実施形態の変形態様を示している。
【発明を実施するための形態】
【００２７】
図１及び２に、本発明を概略的に示している。まず、前記のようなアセンブリー１は、主端末Ｔ１を有する。この主端末は、ＬＣＤスクリーンのような表示デバイス１２やタッチキー又は他のキーのような制御デバイス１３を管理する算術論理演算ユニット１１を有する。また、算術論理演算ユニット１１を通信モジュール１４を管理するためにも用いる。
【００２８】
この通信モジュール１４は、少なくとも２つの別個の通信インタフェース１４ａ、１４ｂを備える送受信回路と、及び少なくとも１つのアンテナ１４ｃとを有し、各インタフェースは、１つの通信プロトコルを用いる。例えば、第１のインタフェース１４ａは、Bluetooth、ＧＳＭ、ＥＤＧＥ、ＵＭＴＳ、ＣＤＭＡ、ＬＴＥ、ＨＳＰＡ、ｘＤＳＬ又はＷｉＦｉのような第１のプロトコルＰ１を用い、第２のインタフェース１４ｂは、ＮＦＣ、より一般的にはＲＦＩＤ、のような第２のプロトコルＰ２を用いる。もちろん、通信モジュールがＷｉＦｉタイプのプロトコルを用いる別のインタフェースを有することもできる。
【００２９】
この主端末Ｔ１は、移動体電話機、コンピューター、タッチスクリーンタブレットなどの形態であることができる。
【００３０】
主端末Ｔ１の通信モジュール１４によって、通信ネットワーク１００へのアクセスが可能になる。例えば、このようなネットワークは、インターネット又は内部ネットワークである。この通信ネットワーク１００によって、ユーザーが特定の数の機能ＦＣＴｉにアクセスすることが可能になる。１つのタイプの機能ＦＣＴｉとして、情報機能がある。この情報機能ＦＣＴｉによって、インターネットサイトのような特別に用意されたページにアクセスしたりして、ユーザーが大量の情報にアクセスしたり、情報を取得したりすることが可能になる。図２は、プログラムＰＣＯＮＦによって、４つの機能ＦＣＴ１、ＦＣＴ２、ＦＣＴ３及びＦＣＴ４へのアクセスが可能になることを示している。
【００３１】
もちろん、他の機能ＦＣＴｉもある。例えば、ユーザーが物を購入することを可能にする支払い機能、又は自動車の構成構築、自宅の構成構築、支払いに応じてアクセスがパーソナライズされるホテルの構成構築のような構成をユーザーがプログラムすることを可能にする構成構築（コンフィグレーション）機能である。
【００３２】
このようにして、主端末Ｔ１は、表示デバイス１２及び制御デバイス１３を介して構成構築プログラムＰＣＯＮＦを用いるように構成している。このような構成構築プログラムＰＣＯＮＦは、主端末Ｔ１と通信ネットワーク１００の間の媒介体としてはたらき、主端末に直接インストールされるアプリケーションや通信ネットワーク１００に直接設置されるプログラムであることができる。このように、主端末は、前記構成構築プログラムを用いることができるデバイスである。
【００３３】
構成構築プログラムＰＣＯＮＦは、すべての機能のための単一のインタフェースであることができ、また、異なるプラットホームにインテグレートすることができるカーネルであることができる。例えば、この構成構築プログラムをホテル予約サイト又は支払いサイトが装備することができる。また、ユーザーがパスワードを介して接続することができたり、主端末Ｔ１にリンクされた識別子を介して、端末Ｔ１のシリアルナンバーを介して、又は端末Ｔ１が移動体電話機である場合に端末Ｔ１の電話番号を介して、接続することができる。
【００３４】
このように、この構成構築プログラムＰＣＯＮＦは、ユーザーが選択をすることができるようにユーザーによって用いられる。この選択は、ユーザーにとって重要な情報を集めるように行われる。これらの情報は、ユーザーの公共交通機関の加入、気象情報、ニュースやスポーツの結果、さらに、支払いの可能性、セキュリティードアの解錠やデバイスの構成構築のような機能であることができる。
【００３５】
選択されると、構成構築プログラムＰＣＯＮＦは、これらの異なる機能を集めて、その選択を表すコードＣＯＤＥｉ又はキーを生成する。
【００３６】
好ましいことに、本発明によれば、アセンブリー１は、さらに、第２の端末Ｔ２を有する。この第２の端末Ｔ２は、前記第２の端末Ｔ２と主端末Ｔ１の間の通信のために信号が送信されることを可能にすることができるプロトコルを用いるインタフェースを備える通信モジュール２０を少なくとも有する。用いられるプロトコルは、好ましくは、主端末Ｔ１の第２のインタフェース１４ｂによって用いられる第２のプロトコルＰ２と同じである。このように、この通信モジュールは、送受信回路２１と、情報を記憶するためのメモリー領域２２と、及びアンテナ２３とを有する。第２の端末の通信モジュール２０、すなわち、エミッター−レシーバー回路２１は、好ましくは、受動的である。すなわち、エミッター−レシーバー回路２１の動作に必要なパワーは、そのエミッター−レシーバー回路２１と通信するデバイスによって外部から供給される。好ましいことに、この結果、自律性の問題についての懸念はなくなり、また、第２の端末Ｔ２のパワーに問題があってもまだ機能することができる。
【００３７】
本発明は、好ましいことに、選択を表すコード又はキーを、主端末Ｔ１の通信モジュール２０のメモリー領域２２へと転送することを伴う。この転送は、主端末Ｔ１と第２の端末Ｔ２に共通の通信プロトコルＰ２を用いる信号によって達成される。
【００３８】
したがって、第２の端末Ｔ２が、この第２の端末Ｔ２と同じプロトコルを用いるインタフェースが取り付けられた通信モジュール３０を備える第３の端末Ｔ３として参照される別の端末との通信範囲内に入ると、この第２の端末Ｔ２の受動性の通信回路２０にパワーが与えられる。このパワー供給の後に、メモリー領域２２がウェイクアップして、このメモリー領域２２に、選択に関連する情報が第３の端末Ｔ３に信号によって送られることを可能にするようにアクセスすることができる。したがって、第２の端末Ｔ２は、主端末Ｔ１に依存しない。なぜなら、選択を表すコード又はキーが主端末Ｔ２の通信モジュール２０のメモリー領域２２に転送されると、第２の端末Ｔ２は主端末を必要としなくなるからである。
【００３９】
すべてのデータが送られるわけではなく、データは、機能や特定の条件で応じて選択的に送られる。実際に、特定の端末は、支払い端末や電子的チケットのような単一の機能のみを有し、移動体電話機、タッチスクリーンタブレット、コンピューターのような端末は、いくつかの機能を実行することができる。したがって、第２の端末Ｔ２と通信する第３の端末Ｔ３は、第３の端末が実行できる機能のための識別コードを送る。
【００４０】
質問信号に応答して、第２の端末Ｔ２は、互換性がある機能を実行するように第３の端末Ｔ３に指示する制御信号を送る。
【００４１】
この第３の端末を電子的チケットに用いる場合、第２の端末Ｔ２は、以前に購入され保存された電子的チケット又は加入（サブスクリプション）に関連づけられたコマンドを送る。
【００４２】
この第３の端末を情報に用いる場合、第２の端末Ｔ２は、ユーザーのお気に入りの情報に関連づけられたコマンドを送る。これによって、この第３の端末Ｔ３は、その情報を探索して表示する。この情報を、時間のように第３の端末Ｔ３に直接含ませることができ、あるいはインターネットのような通信ネットワークを介して取得することもできる。
【００４３】
他のデバイスを構成構築するために第３の端末を用いる場合、第２の端末Ｔ２は、第３の端末Ｔ３が所望のデバイスを構成構築するように構成構築コマンドを送る。
【００４４】
最後に、この他の端末がアプリケーションを実行させるように用いられる場合、第２の端末Ｔ２は、この他の端末が一又は複数のアプリケーションをアクティブにするように関連するコマンドを送る。
【００４５】
また、もちろん、第２の端末Ｔ２が質問されたときに記憶されたコードをすべて送ったり、第３の端末Ｔ３が、自身が認識する関連づけられた機能ＦＣＴｉのみをアクティブ化したりすることも想到することができる。
【００４６】
第３の端末Ｔ３は、主端末Ｔ１と同じタイプのものであることができる。すなわち、移動体電話機、コンピューター又はタッチスクリーンタブレットの形態であることができる。しかし、第３の端末Ｔ３は、第２のプロトコルＰ２を用いる通信モジュール３０を備える任意のデバイス、又はワイヤー接続４２を介して外部通信回路４１が接続される任意のデバイス４０であることができる。このデバイス４０は、例えば、ＵＳＢ、ＲＳ２３２、ＨＤＭＩ（登録商標）接続などを介して通信用周辺機器が接続されるホームオートメーション制御パネルである。
【００４７】
図３に示すように、第２の端末が別の端末を用いる同じタイプの端末と通信することができるようにすることができる。実際に、第２の端末Ｔ２が受動性の通信モジュール２０を備えるために、２つの第２の端末Ｔ２の間の通信を直接行うことができない。このために、主端末Ｔ１のような別の端末、又は能動的な通信回路、すなわち、自身でパワー供給する通信回路、を用いる他の端末が必要となる。２つの端末Ｔ２どうしを一時的に接続するために、用語「ＮＦＣブースター」として知られているアクセサリー又は付加的なパワー供給源も使用可能である。
【００４８】
第１の実施形態において、第２の端末Ｔ２は、ユーザーが永続的に身につける別個のデバイスである。
【００４９】
第１の手法によると、第２の端末は腕時計である。この腕時計は、ケースと腕時計ストラップを有し、このケースには、電子式又は機械式のムーブメント、表示デバイス及び制御デバイスが取り付けられている。通信モジュール２０を、例えば、腕時計ストラップ又はケースに搭載することができる。もちろん、通信回路を、腕時計の風防や腕時計ストラップのバックルに搭載することもできる。
【００５０】
代わりに、腕時計は、正しいコマンドを送るために、所望の機能を表示し選択させることを可能にする表示デバイスを有することができる。
【００５１】
第２の手法によると、第２の端末は、リストバンド、クリップオンピン、又はネックレスやブローチのような装飾品であることができる。ネックレスは、通信回路を内蔵するペンダントやチェーンの形態であることができる。リストバンドの場合に、例えば、リストバンドがアクティブであることを示すために、表示デバイスを設けることができる。
【００５２】
図４及び５に示した第２の実施形態において、主端末と第２の端末は、同じタイプであり、単一の端末を形成している。このために、第２の端末は、表示デバイス２７、制御デバイス２６及びパワー供給デバイスを制御する算術論理演算ユニット２５を有する。また、第２の端末Ｔ２の通信モジュール２０も、通信プロトコルＰ１を使用するインタフェース２４と、及び構成構築プログラムＰＣＯＮＦを介して通信ネットワーク１００への直接アクセスを可能にするアンテナ２４ａとを備える。例えば、図５において、腕時計Ｔ２は、ＬＣＤスクリーン２７と、タッチ感知可能なキー２６ａやボタン２６ｂのような制御デバイス２６と、及び前記通信ネットワークにアクセスするためのＧＳＭ、Bluetooth又はＷｉＦｉなどのモジュールとを備える。この構成によって、お気に入りの選択を、ユーザーが常に着用するデバイス内に直接保存することができる。
【００５３】
結果的に、第２の端末Ｔ２の受動性の通信モジュールと通信することができる別の端末の範囲内にユーザーがいるときに、所望の機能ＦＣＴｉをアクティブにすることができる。
【００５４】
図６に示すこの第２の実施形態の変形態様において、第２の端末Ｔ２をコミュニティー環境にて用いることができる。したがって、管理者は、管理端末を介して構成構築プログラムを用いて、第１のプロトコルにしたがって通信範囲内の第２の端末Ｔ２をリストし、少なくとも１つの機能を表すコードをそれらの第２の端末Ｔ２のそれぞれに送ることができ、この機能は、検出した第２の端末Ｔ２ごとに異なることができる。例えば、ホテルアプリケーションにおいては、特定の活動に対して自由にアクセスできる特権を与えたり、家族や得意客のような特定の人々の群に宣伝資料を送ったりすることを想到することができる。
【００５５】
これらの異なる実施形態の変形態様では、第２の端末Ｔ２は、コミュニティー環境にて用いられる。この第２の端末Ｔ２は、共有デバイスとして用いることができる。実際に、ユーザーの間の共有を可能にする機能ＦＣＴｉを有することを想到することができる。このような機能ＦＣＴｉは、部屋又はホテルが特権的アクセスによって利益を享受するような共有特権にリンクしていたり、金銭又はバウチャーの共有にリンクしていたりすることができる。例えば、第２の端末Ｔ２にクレジットで金銭、販売バウチャー又は飲食バウチャーをロードして、これらを他の第２の端末Ｔ２、第３の端末Ｔ３又は主端末Ｔ１に転送することができる。
【００５６】
なお、添付の請求の範囲によって定められる本発明のフレームワークから逸脱せずに、当業者にとって明白な様々な改変及び／又は改善及び／又は組み合わせを本発明の異なる実施形態に対して行うことができる。
【図１】
0006486491.tif 000002
【図２】
0006486491.tif 000003
【図３】
0006486491.tif 000004
【図４】
0006486491.tif 000005
【図５】
0006486491.tif 000006
【図６】
0006486491.tif 000007